(57)【要約】      （修正有）【課題】画像表示装置の使用者に対して、不要なコンテンツの画像を表示しない技術を提供する。【解決手段】情報配信システム５００は、画像表示装置の位置を特定する位置特定部と、第１の通信部と、制御部と、を有する画像表示装置（ＨＭＤ）１００と；コンテンツ情報を記憶する記憶部と、第２の通信部と、選択部と、を有する情報処理装置（サーバー）３００と、を備える。選択部は、受信された画像表示装置の位置に基づいて、記憶部に記憶されている複数のコンテンツから２以上のコンテンツを選択し；第２の通信部は、選択された２以上のコンテンツのコンテンツ情報を第１の通信部に配信し；制御部は、受信されたコンテンツ情報の内の１つのコンテンツを第１コンテンツとして設定し、設定した第１コンテンツと、配信されたコンテンツ情報の内の第１コンテンツ以外のコンテンツと、を異なる表示態様で画像表示部に表示させる。【選択図】図１
2016004340.tif 000002
【特許請求の範囲】
【請求項１】
情報配信システムであって、
コンテンツに基づいて画像を表示する画像表示部を有する画像表示装置であって、前記画像表示装置の位置を特定する位置特定部と、第１の通信部と、制御部と、を有する画像表示装置と、
位置に対応付けられているコンテンツのコンテンツ情報を記憶する記憶部と、第２の通信部と、選択部と、を有する情報処理装置と、を備え、
前記第１の通信部は、特定された前記画像表示装置の位置の情報を前記第２の通信部へと送信し、
前記第２の通信部は、送信された前記画像表示装置の位置の情報を受信し、
前記選択部は、受信された前記画像表示装置の位置に基づいて、前記記憶部に記憶されている複数のコンテンツから２以上のコンテンツを選択し、
前記第２の通信部は、選択された前記２以上のコンテンツのコンテンツ情報を前記第１の通信部に配信し、
前記第１の通信部は、配信された前記コンテンツ情報を受信し、
前記制御部は、受信された前記コンテンツ情報の内の１つのコンテンツを第１コンテンツとして設定し、設定した前記第１コンテンツと、配信された前記コンテンツ情報の内の前記第１コンテンツ以外のコンテンツと、を異なる表示態様で前記画像表示部に表示させる、情報配信システム。
【請求項２】
請求項１に記載の情報配信システムであって、
前記画像表示部は、コンテンツに基づいて表示する画像として虚像を表示すると共に、外景を透過する、情報配信システム。
【請求項３】
請求項２に記載の情報配信システムであって、
前記画像表示装置は、さらに、
前記画像表示部の向きを特定する向き特定部を有し、
前記制御部は、特定された前記画像表示装置の位置と、配信された前記コンテンツ情報と、特定された前記画像表示部の向きと、に基づいて、前記第１コンテンツに基づいて表示される虚像である第１虚像の表示態様と、前記第１コンテンツ以外のコンテンツに基づいて表示される虚像である第２虚像の表示態様と、を設定する、情報配信システム。
【請求項４】
請求項３に記載の情報配信システムであって、
前記制御部は、特定された前記画像表示部の向きの変化を記憶し、特定された前記画像表示装置の位置と、配信された前記コンテンツ情報と、記憶した前記画像表示部の向きの変化と、に基づいて、前記第１虚像の表示態様と前記第２虚像の表示態様との少なくとも一方を設定する、情報配信システム。
【請求項５】
請求項１から請求項４までのいずれか一項に記載の情報配信システムであって、
前記制御部は、特定された前記画像表示装置の位置と、配信された前記コンテンツ情報と、撮像された外景と、に基づいて、前記第１コンテンツに基づいて表示される虚像である第１虚像の表示態様と前記第１コンテンツ以外のコンテンツに基づいて表示される虚像である第２虚像の表示態様との少なくとも一方を設定する、情報配信システム。
【請求項６】
請求項５に記載の情報配信システムであって、
前記画像表示装置は、さらに、
前記外景を撮像する撮像部を有する、情報配信システム。
【請求項７】
請求項６に記載の情報配信システムであって、
前記制御部は、撮像された前記外景の中から前記第１コンテンツに対応付けられている画像を検出し、前記第１虚像の表示態様として、前記画像表示部において前記第１虚像が表示される位置を、検出した画像に対応付けた位置に設定する、情報配信システム。
【請求項８】
請求項３から請求項７までのいずれか一項に記載の情報配信システムにであって、
前記画像表示装置は、さらに、
配信された前記コンテンツ情報の内のコンテンツが対応付けられている位置と前記画像表示装置の位置との距離を測定する距離測定部を備え、
前記制御部は、少なくとも１つのコンテンツに対して測定された前記距離と、特定された前記画像表示装置の位置と、配信された前記コンテンツ情報と、に基づいて、前記第１虚像の表示態様と前記第２虚像の表示態様との少なくとも一方を設定する、情報配信システム。
【請求項９】
請求項３から請求項８までのいずれか一項に記載の情報配信システムであって、
前記画像表示装置は、さらに、
操作を受け付ける操作部を備え、
前記制御部は、受け付けた操作に基づいて、配信される前記コンテンツ情報を指定するコンテンツ指定情報を生成し、
前記第１の通信部は、生成された前記コンテンツ指定情報を前記第２の通信部に送信し、
前記第２の通信部は、送信された前記コンテンツ指定情報を受信し、
前記選択部は、受信された前記コンテンツ指定情報と特定された前記画像表示装置の位置とに基づいて、前記記憶部に記憶されたコンテンツ情報から２以上のコンテンツを選択する、情報配信システム。
【請求項１０】
請求項３から請求項９までのいずれか一項に記載の情報配信システムであって、
前記第１虚像の表示態様と前記第２虚像の表示態様との少なくとも一方は、前記画像表示部において虚像が表示される位置である、情報配信システム。
【請求項１１】
請求項１に記載の情報配信システムであって、
前記画像表示部は、コンテンツに基づいて表示する画像として虚像を表示すると共に、外景を透過し、
前記画像表示装置は、さらに、
前記画像表示部の向きを特定する向き特定部を有し、
前記第１の通信部は、特定された向きを示す向き情報を前記第２の通信部に送信し、
前記第２の通信部は、送信された前記向き情報を受信し、
前記選択部は、特定された前記画像表示装置の位置と、送信された前記向き情報と、に基づいて前記２以上のコンテンツを選択する、情報配信システム。
【請求項１２】
透過型の頭部装着型表示装置であって、
前記頭部装着型表示装置の位置を特定する位置特定部と、
特定された位置に対応付けられて配信されたコンテンツ情報を受信する第１の受信部と、
受信されたコンテンツ情報の内の２以上のコンテンツに基づいて虚像を表示すると共に外景を透過する画像表示部と、
受信されたコンテンツ情報の内の１つのコンテンツを第１コンテンツとして設定し、設定した第１コンテンツと、配信されたコンテンツ情報の内の前記第１コンテンツ以外のコンテンツと、を異なる表示態様で前記画像表示部に表示させる制御部と、を備える、頭部装着型表示装置。
【請求項１３】
透過型の頭部装着型表示装置であって、
前記頭部装着型表示装置の位置を特定する位置特定部と、
コンテンツを記憶する記憶部と、
特定された位置に基づいて２以上のコンテンツを選択する選択部と、
選択された前記２以上のコンテンツに基づいて虚像を表示すると共に外景を透過する画像表示部と、
選択された前記２以上のコンテンツの内の１つのコンテンツを第１コンテンツとして設定し、設定した第１コンテンツと、記憶されたコンテンツ情報の内の前記第１コンテンツ以外のコンテンツと、を異なる表示態様で前記画像表示部に表示させる制御部と、を備える、頭部装着型表示装置。
【請求項１４】
配信されたコンテンツ情報を受信する第１の受信部と、配信されたコンテンツ情報の内の２以上のコンテンツに基づいて虚像を表示すると共に外景を透過する画像表示部と、を有する透過型の頭部装着型表示装置の制御方法であって、
前記頭部装着型表示装置の位置を特定する工程と、
特定された位置に対応付けられているコンテンツ情報を受信する工程と、
受信されたコンテンツ情報の内の１つのコンテンツを第１コンテンツとして設定し、設定した第１コンテンツと、受信されたコンテンツ情報の内の前記第１コンテンツ以外のコンテンツと、を異なる表示態様で前記画像表示部に表示させる工程と、を備える、制御方法。
【請求項１５】
コンテンツに基づいて画像を表示する画像表示部を備える透過型の頭部装着型表示装置のためのコンピュータープログラムであって、
前記頭部装着型表示装置の位置を特定する位置特定機能と、
コンテンツを記憶する記憶機能と、
特定された位置に基づいて２以上のコンテンツを選択する選択機能と、
選択された前記２以上のコンテンツに基づいて虚像を表示すると共に外景を透過する画像表示機能と、
選択された前記２以上のコンテンツの内の１つのコンテンツを第１コンテンツとして設定し、設定した第１コンテンツと、記憶されたコンテンツ情報の内の前記第１コンテンツ以外のコンテンツと、を異なる表示態様で前記画像表示部に表示させる制御機能と、をコンピュータに実現させる、コンピュータープログラム。
【発明の詳細な説明】
【技術分野】
【０００１】
本発明は、情報配信システムに関する。
【背景技術】
【０００２】
サーバーから飲食店や観光名所等に関するコンテンツを携帯電話やＰＤＡ（Personal Digital Assistant）等の携帯電子機器に配信する情報配信システムが知られている。携帯電子機器の１つとして、使用者の頭部に装着する表示装置である頭部装着型表示装置（ヘッドマウントディスプレイ（Head  Mounted  Display）、ＨＭＤ）がある。頭部装着型表示装置は、例えば、液晶ディスプレイおよび光源を利用して、コンテンツに基づいて画像を表わす画像光を生成し、生成された画像光を投写光学系や導光板を利用して使用者の眼に導くことにより、使用者に虚像を視認させる。頭部装着型表示装置には、使用者が虚像に加えて外景も視認可能な透過型と、使用者が外景を視認できない非透過型と、の２つのタイプがある。透過型の頭部装着型表示装置には、光学透過型とビデオ透過型とがある。
【０００３】
特許文献１には、ＨＭＤを装着した使用者の位置情報と使用者の頭部の向きを示す方位情報とに基づいて特定されたコンテンツの画像を表示するＨＭＤを備えた情報処理システムが開示されている。また、特許文献２には、ＨＭＤを装着した使用者の向きに基づいて、使用者の前方に存在する通信端末に通信するＨＭＤについて開示されている。また、特許文献３には、複数の使用者のそれぞれが１つの画像表示装置に表示された異なる画像を視認している場合に、使用者の位置の変化に合わせて、画像表示装置に表示された画像の表示位置を変化させる技術が開示されている。
【先行技術文献】
【特許文献】
【０００４】
【特許文献１】特開２０１３−１２０２４号公報
【特許文献２】特開２０１０−２７３０３１号公報
【特許文献３】特開２０１３−１１５６４４号公報
【発明の概要】
【発明が解決しようとする課題】
【０００５】
しかし、特許文献１に記載された技術では、ＨＭＤを装着した使用者の位置情報と使用者の向きとによってコンテンツが表示されるため、使用者にとって不要なコンテンツを表示してしまう場合があった。また、特許文献２に記載された技術では、ＨＭＤを装着した使用者の前方以外に存在する通信端末とは通信できず、使用者が視認したいコンテンツをＨＭＤに表示できない場合があった。また、特許文献３に記載された技術では、使用者の位置の変化に応じて画像表示装置に表示された画像の表示位置が変化するため、使用者にとって不要なコンテンツの画像であっても使用者の目の前に変化させてしまう場合があった。
【課題を解決するための手段】
【０００６】
本発明は、上述の課題の少なくとも一部を解決するためになされたものであり、以下の形態として実現することが可能である。
【０００７】
（１）本発明の一形態によれば、情報配信システムが提供される。この情報配信システムは；コンテンツに基づいて画像を表示する画像表示部を有する画像表示装置であって、前記画像表示装置の位置を特定する位置特定部と、第１の通信部と、制御部と、を有する画像表示装置と；位置に対応付けられているコンテンツのコンテンツ情報を記憶する記憶部と、第２の通信部と、選択部と、を有する情報処理装置と、を備え；前記第１の通信部は、特定された前記画像表示装置の位置の情報を前記第２の通信部へと送信し；前記第２の通信部は、送信された前記画像表示装置の位置の情報を受信し；前記選択部は、受信された前記画像表示装置の位置に基づいて、前記記憶部に記憶されている複数のコンテンツから２以上のコンテンツを選択し；前記第２の通信部は、選択された前記２以上のコンテンツのコンテンツ情報を前記第１の通信部に配信し；前記第１の通信部は、配信された前記コンテンツ情報を受信し；前記制御部は、受信された前記コンテンツ情報の内の１つのコンテンツを第１コンテンツとして設定し、設定した前記第１コンテンツと、配信された前記コンテンツ情報の内の前記第１コンテンツ以外のコンテンツと、を異なる表示態様で前記画像表示部に表示させる。この形態の情報配信システムによれば、画像表示部に表示される画像を、画像表示装置の位置と第１コンテンツであるか否かによってコンテンツの表示態様を変える。これにより、画像表示装置の使用者が視認したい第１コンテンツを他のコンテンツよりも優先的に、かつ、詳細に画像表示部に表示させられるので、使用者にとっての利便性が向上する。
【０００８】
（２）上記形態の情報配信システムにおいて、前記画像表示部は、コンテンツに基づいて表示する画像として虚像を表示すると共に、外景を透過してもよい。この形態の情報配信システムによれば、使用者は、画像表示部に表示される画像を視認すると共に、画像表示部を透過する外景を視認できるため、使用者の利便性が向上する。
【０００９】
（３）上記形態の情報配信システムにおいて、前記画像表示装置は、さらに；前記画像表示部の向きを特定する向き特定部を有し；前記制御部は、特定された前記画像表示装置の位置と、配信された前記コンテンツ情報と、特定された前記画像表示部の向きと、に基づいて、前記第１コンテンツに基づいて表示される虚像である第１虚像の表示態様と、前記第１コンテンツ以外のコンテンツに基づいて表示される虚像である第２虚像の表示態様と、を設定してもよい。この形態の情報配信システムによれば、使用者が視認したいと考えられる第１コンテンツについて詳しく表示し、それ以外のコンテンツについては最低限の情報を表示する。これにより、使用者は、広い範囲で透過する外景を視認した上で、第１コンテンツの詳細な情報を視認でき、使用者にとっての利便性がより向上する。
【００１０】
（４）上記形態の情報配信システムにおいて、前記制御部は、特定された前記画像表示部の向きの変化を記憶し、特定された前記画像表示装置の位置と、配信された前記コンテンツ情報と、記憶した前記画像表示部の向きの変化と、に基づいて、前記第１虚像の表示態様と前記第２虚像の表示態様との少なくとも一方を設定してもよい。この形態の情報配信システムによれば、制御部は、画像表示部の向きに加えて、記憶された画像表示部の向きの変化も考慮して、画像表示部に表示させる画像の表示態様を設定するため、使用者が視認したいコンテンツをより適切に提供できる。
【００１１】
（５）上記形態の情報配信システムにおいて、前記制御部は、特定された前記画像表示装置の位置と、配信された前記コンテンツ情報と、撮像された外景と、に基づいて、前記第１コンテンツに基づいて表示される虚像である第１虚像の表示態様と前記第１コンテンツ以外のコンテンツに基づいて表示される虚像である第２虚像の表示態様との少なくとも一方を設定してもよい。この形態の情報配信システムによれば、使用者は、表示された画像が撮像画像の中のいずれのコンテンツについての情報であるのかを視認できるので、コンテンツの画像と外景に含まれるコンテンツに対応付けられた画像との対応関係を認識しやすく、使用者にとっての利便性がより向上する。
【００１２】
（６）上記形態の情報配信システムにおいて、前記画像表示装置は、さらに；前記外景を撮像する撮像部を有してもよい。この形態の情報配信システムによれば、リアルタイムに撮像された撮像画像の中のいずれのコンテンツについての情報であるのか視認できるので、使用者にとっての利便性がより向上する。
【００１３】
（７）上記形態の情報配信システムにおいて、前記制御部は、撮像された前記外景の中から前記第１コンテンツに対応付けられている画像を検出し、前記第１虚像の表示態様として、前記画像表示部において前記第１虚像が表示される位置を、検出した画像に対応付けた位置に設定してもよい。この形態の情報配信システムによれば、使用者は、表示された画像が撮像画像の中のいずれのコンテンツについての情報であるのかを視認できるので、コンテンツの画像と外景に含まれるコンテンツに対応付けられた画像との位置についての対応関係を認識しやすく、使用者にとっての利便性がより向上する。
【００１４】
（８）上記形態の情報配信システムにおいて、前記画像表示装置は、さらに；配信された前記コンテンツ情報の内のコンテンツが対応付けられている位置と前記画像表示装置の位置との距離を測定する距離測定部を備え；前記制御部は、少なくとも１つのコンテンツに対して測定された前記距離と、特定された前記画像表示装置の位置と、配信された前記コンテンツ情報と、に基づいて、前記第１虚像の表示態様と前記第２虚像の表示態様との少なくとも一方を設定してもよい。この形態の情報配信システムによれば、コンテンツが特定の位置に対応付けられている場合に、使用者は、コンテンツを外景として視認できなくても、コンテンツが対応付けられた位置までの距離を認識でき、使用者にとっての利便性がより向上する。
【００１５】
（９）上記形態の情報配信システムにおいて、前記画像表示装置は、さらに；操作を受け付ける操作部を備え；前記制御部は、受け付けた操作に基づいて、配信される前記コンテンツ情報を指定するコンテンツ指定情報を生成し；前記第１の通信部は、生成された前記コンテンツ指定情報を前記第２の通信部に送信し；前記第２の通信部は、送信された前記コンテンツ指定情報を受信し；前記選択部は、受信された前記コンテンツ指定情報と特定された前記画像表示装置の位置とに基づいて、前記記憶部に記憶されたコンテンツ情報から２以上のコンテンツを選択してもよい。この形態の情報配信システムによれば、記憶部に記憶されたコンテンツ情報から、コンテンツ指定情報に基づいてより絞られた２以上のコンテンツが画像表示装置に送信されるので、使用者が視認したいコンテンツの画像をより適切に画像表示部に表示でき、使用者にとっての利便性がより向上する。
【００１６】
（１０）上記形態の情報配信システムにおいて、前記第１虚像の表示態様と前記第２虚像の表示態様との少なくとも一方は、前記画像表示部において虚像が表示される位置であってもよい。この形態の情報配信システムによれば、第１コンテンツとそれ以外のコンテンツとの表示位置を変えて画像表示部にコンテンツの画像を表示するため、使用者は、コンテンツを視覚情報としてより認識しやすくなる。
【００１７】
（１１）上記形態の情報配信システムにおいて、前記画像表示部は、コンテンツに基づいて表示する画像として虚像を表示すると共に、外景を透過し；前記画像表示装置は、さらに；前記画像表示部の向きを特定する向き特定部を有し；前記第１の通信部は、特定された向きを示す向き情報を前記第２の通信部に送信し；前記第２の通信部は、送信された前記向き情報を受信し；前記選択部は、特定された前記画像表示装置の位置と、送信された前記向き情報と、に基づいて前記２以上のコンテンツを選択してもよい。この形態の情報配信システムによれば、使用者は、広い範囲で透過する外景を視認した上で、第１コンテンツの詳細な情報を視認でき、かつ、画像表示装置に行なわせる処理の負担を低減できる。
【００１８】
（１２）本発明の他の形態によれば、透過型の頭部装着型表示装置が提供される。この頭部装着型表示装置は、前記頭部装着型表示装置の位置を特定する位置特定部と；特定された位置に対応付けられて配信されたコンテンツ情報を受信する第１の受信部と；受信されたコンテンツ情報の内の２以上のコンテンツに基づいて虚像を表示すると共に外景を透過する画像表示部と；受信されたコンテンツ情報の内の１つのコンテンツを第１コンテンツとして設定し、設定した第１コンテンツと、配信されたコンテンツ情報の内の前記第１コンテンツ以外のコンテンツと、を異なる表示態様で前記画像表示部に表示させる制御部と、を備える。この形態の頭部装着型表示装置によれば、画像表示部に表示される画像を、画像表示装置の位置と第１コンテンツであるか否かによってコンテンツの表示態様を変える。これにより、画像表示装置の使用者が視認したい第１コンテンツを他のコンテンツよりも優先的に、かつ、詳細に画像表示部に表示させられるので、使用者にとっての利便性が向上する。
【００１９】
（１３）本発明の他の形態によれば、透過型の頭部装着型表示装置が提供される。この頭部装着型表示装置は、前記頭部装着型表示装置の位置を特定する位置特定部と；コンテンツを記憶する記憶部と；特定された位置に基づいて２以上のコンテンツを選択する選択部と；選択された前記２以上のコンテンツに基づいて虚像を表示すると共に外景を透過する画像表示部と；選択された前記２以上のコンテンツの内の１つのコンテンツを第１コンテンツとして設定し、設定した第１コンテンツと、記憶されたコンテンツ情報の内の前記第１コンテンツ以外のコンテンツと、を異なる表示態様で前記画像表示部に表示させる制御部と、を備える。この形態の頭部装着型表示装置によれば、使用者が視認したい第１コンテンツを他のコンテンツよりも優先的に、かつ、詳細に画像表示部に表示させられるので、使用者にとっての利便性が向上する。
【００２０】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行なうことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２１】
例えば、本発明の一形態は、画像表示装置と、情報処理装置と、の２つの要素の内の１つまたは２つの要素を備えた装置として実現可能である。すなわち、このシステムは、画像表示装置を有していてもよく、有していなくてもよい。また、システムは、情報処理装置を有していてもよく、有していなくてもよい。画像表示装置は、例えば、コンテンツに基づいて画像を表示する画像表示部を有する画像表示装置であって、前記画像表示装置の位置を特定する位置特定部と、第１の通信部と、制御部と、を有してもよい。情報処理装置は、例えば、位置に対応付けられたコンテンツのコンテンツ情報を記憶する記憶部と、特定された前記画像表示装置の位置に基づいて、前記記憶部に記憶された複数のコンテンツから２以上のコンテンツを選択する選択部と、選択された前記２以上のコンテンツのコンテンツ情報を前記第１の通信部に配信する第２の通信部と、を有してもよい。第１の通信部は、例えば、配信された前記コンテンツ情報を受信してもよい。制御部は、例えば、受信された前記コンテンツ情報の内の１つのコンテンツを第１コンテンツとして設定し、設定した前記第１コンテンツと、配信された前記コンテンツ情報の内の前記第１コンテンツ以外のコンテンツと、を異なる表示態様で前記画像表示部に表示させてもよい。こうした装置は、例えば、情報配信システムとして実現できるが、情報配信システム以外の他のシステムとしても実現可能である。このような形態によれば、システムの操作性の向上および簡易化、システムの一体化や、システムを使用する使用者の利便性の向上、等の種々の課題の少なくとも１つを解決することができる。前述した情報配信システムの各形態の技術的特徴の一部または全部は、いずれもこのシステムに適用することが可能である。
【００２２】
本発明は、情報配信システム以外の種々の形態で実現することも可能である。例えば、画像表示装置、頭部装着型表示装置および画像表示装置の制御方法、情報配信の制御システム、頭部装着型表示システム、情報配信の制御システムおよび画像表示装置の機能を実現するためのコンピュータープログラム、そのコンピュータープログラムを記録した記録媒体、そのコンピュータープログラムを含み搬送波内に具現化されたデータ信号等の形態で実現できる。
【図面の簡単な説明】
【００２３】
【図１】本発明の実施形態における情報配信システムの概略構成を示す説明図である。
【図２】サーバーの構成を機能的に示すブロック図である。
【図３】サーバーのコンテンツＤＢに記憶されたコンテンツの一例を示す概略図である。
【図４】ＨＭＤの構成を機能的に示すブロック図である。
【図５】画像光生成部によって画像光が射出される様子を示す説明図である。
【図６】コンテンツ表示処理の流れを示す説明図である。
【図７】ＨＭＤの使用者と検索された観光名所との位置関係を示す鳥瞰図である。
【図８】カメラによって撮像された撮像画像の一例を示す説明図である。
【図９】テキスト画像および矢印画像が表示された場合に使用者が視認する視認視野の一例を示す説明図である。
【図１０】選択コンテンツ表示モードに設定される前後に使用者が視認する視認視野の一例を示す説明図である。
【図１１】選択コンテンツ表示モードに設定される前後に使用者が視認する視認視野の一例を示す説明図である。
【図１２】変形例におけるＨＭＤの外観構成を示す説明図である。
【発明を実施するための形態】
【００２４】
Ａ．実施形態：
Ａ−１．情報配信システムの構成：
図１は、本発明の実施形態における情報配信システム５００の概略構成を示す説明図である。情報配信システム５００は、使用者の頭部に装着され、虚像を使用者に視認させるヘッドマウントディスプレイ１００（Head Mounted Display、ＨＭＤ１００）と、ＨＭＤ１００などの情報端末に、地域ごとに設定されている複数のコンテンツを配信するサーバー３００と、を備えている。なお、情報配信システム５００では、ＨＭＤ１００とサーバー３００とが１つずつしか備えられていないが、ＨＭＤ１００およびサーバー３００の少なくとも一方が複数備えられていてもよい。
【００２５】
図２は、サーバー３００の構成を機能的に示すブロック図である。サーバー３００は、ＨＭＤ１００に配信する複数のコンテンツを記憶している記憶部３２０と、複数のコンテンツをＨＭＤ１００に配信するために無線通信を行なう無線通信部３３０と、ＣＰＵ３１０と、を備えている。記憶部３２０は、ＲＯＭやＲＡＭ等によって構成されている。記憶部３２０は、地域に対応付けられた複数のコンテンツを特定するコンテンツ情報を格納しているコンテンツデータベース３２５（コンテンツＤＢ３２５）を有している。コンテンツＤＢ３２５は、コンテンツが建造物などの使用者によって視認される物体である場合には、コンテンツの画像データも記憶している。また、記憶部３２０は、各種コンピュータープログラムを格納している。
【００２６】
無線通信部３３０は、無線ＬＡＮやブルートゥース（登録商標）といった所定の無線通信方式に則って他の機器との間で無線通信を行なう。無線通信部３３０は、サーバー３００とＨＭＤ１００との間で各種情報を送受信する。ＣＰＵ３１０は、記憶部３２０に格納されているコンピュータープログラムを読み出して実行する。ＣＰＵ３１０は、無線通信部３３０を介して受信されたＨＭＤ１００の画像表示部２０の位置や向きなどの情報に基づいて、コンテンツＤＢ３２５に記憶されたコンテンツ情報から複数のコンテンツを選択する情報処理部３１２を備える。なお、画像表示部２０の位置や向きなどを特定する方法については、後述する。情報処理部３１２は、選択した複数のコンテンツを、無線通信部３３０を介して、ＨＭＤ１００に送信する。なお、以降では、情報処理部３１２が選択した複数のコンテンツを、選択コンテンツとも呼ぶ。本実施形態におけるサーバー３００は、請求項における情報処理装置に相当する。また、サーバー３００の無線通信部３３０は、請求項における第２の通信部に相当し、サーバー３００の情報処理部３１２は、請求項における選択部に相当する。
【００２７】
図３は、サーバー３００のコンテンツＤＢ３２５に記憶されたコンテンツの一例を示す概略図である。図３には、コンテンツＤＢ３２５に記憶されたコンテンツの一例として、ＨＭＤ１００の画像表示部２０の現在位置に対応付けられた観光名所データ３２７が示されている。観光名所データ３２７は、複数に分けられた地域に対応付けて、当該地域で人気の高い観光名所を順位付けて記憶している。例えば、地域Ａ１に対応付けられた１番目に人気のある観光名所は、Ａ１タワーであり、地域Ａ１に対応付けられた２番目に人気のある観光名所は、市民公園である。なお、図３では、地域Ａ１，Ｂ１，Ｃ１，Ｄ１に対応付けられた観光名所の一部を示しており、例えば、地域Ａ１に対応付けられた３番目に人気のある観光名所については、示されていない。
【００２８】
図１に示すＨＭＤ１００は、使用者が、虚像を視認すると同時に外景も直接視認可能な光学透過型の頭部装着型表示装置である。なお、本明細書では、ＨＭＤ１００によって使用者が視認する虚像を便宜的に「表示画像」ともいう。また、コンテンツ等の画像データに基づいて生成された画像光を射出することを「画像を表示する」ともいう。
【００２９】
ＨＭＤ１００は、使用者の頭部に装着された状態において使用者に虚像を視認させる画像表示部２０と、画像表示部２０を制御する制御部１０（コントローラー１０）と、を備えている。
【００３０】
画像表示部２０は、使用者の頭部に装着される装着体であり、本実施形態では眼鏡形状を有している。画像表示部２０は、右保持部２１と、右表示駆動部２２と、左保持部２３と、左表示駆動部２４と、右光学像表示部２６と、左光学像表示部２８と、カメラ６１と、を含んでいる。右光学像表示部２６および左光学像表示部２８は、それぞれ、使用者が画像表示部２０を装着した際に使用者の右および左の眼前に位置するように配置されている。右光学像表示部２６の一端と左光学像表示部２８の一端とは、使用者が画像表示部２０を装着した際の使用者の眉間に対応する位置で、互いに接続されている。
【００３１】
右保持部２１は、右光学像表示部２６の他端である端部ＥＲから、使用者が画像表示部２０を装着した際の使用者の側頭部に対応する位置にかけて、延伸して設けられた部材である。同様に、左保持部２３は、左光学像表示部２８の他端である端部ＥＬから、使用者が画像表示部２０を装着した際の使用者の側頭部に対応する位置にかけて、延伸して設けられた部材である。右保持部２１および左保持部２３は、眼鏡のテンプル（つる）のようにして、使用者の頭部に画像表示部２０を保持する。
【００３２】
右表示駆動部２２と左表示駆動部２４とは、使用者が画像表示部２０を装着した際の使用者の頭部に対向する側に配置されている。なお、以降では、右保持部２１および左保持部２３を総称して単に「保持部」とも呼び、右表示駆動部２２および左表示駆動部２４を総称して単に「表示駆動部」とも呼び、右光学像表示部２６および左光学像表示部２８を総称して単に「光学像表示部」とも呼ぶ。
【００３３】
表示駆動部２２，２４は、液晶ディスプレイ２４１，２４２（Liquid Crystal Display、以下「ＬＣＤ２４１，２４２」とも呼ぶ）や投写光学系２５１，２５２等を含む（図４参照）。表示駆動部２２，２４の構成の詳細は後述する。光学部材としての光学像表示部２６，２８は、導光板２６１，２６２（図４参照）と調光板とを含んでいる。導光板２６１，２６２は、光透過性の樹脂材料等によって形成され、表示駆動部２２，２４から出力された画像光を使用者の眼に導く。調光板は、薄板状の光学素子であり、使用者の眼の側とは反対の側である画像表示部２０の表側を覆うように配置されている。調光板は、導光板２６１，２６２を保護し、導光板２６１，２６２の損傷や汚れの付着等を抑制する。また、調光板の光透過率を調整することによって、使用者の眼に入る外光量を調整して虚像の視認のしやすさを調整できる。なお、調光板は省略可能である。
【００３４】
カメラ６１は、使用者が画像表示部２０を装着した際の使用者の眉間に対応する位置に配置されている。そのため、カメラ６１は、使用者が画像表示部２０を頭部に装着した状態において、使用者の視線方向の外部の景色である外景を撮像し、撮像画像を取得する。カメラ６１は、単眼カメラであるが、ステレオカメラであってもよい。カメラ６１は、請求項における撮像部に相当する。
【００３５】
画像表示部２０は、さらに、画像表示部２０を制御部１０に接続するための接続部４０を有している。接続部４０は、制御部１０に接続される本体コード４８と、右コード４２と、左コード４４と、連結部材４６と、を含んでいる。右コード４２と左コード４４とは、本体コード４８が２本に分岐したコードである。右コード４２は、右保持部２１の延伸方向の先端部ＡＰから右保持部２１の筐体内に挿入され、右表示駆動部２２に接続されている。同様に、左コード４４は、左保持部２３の延伸方向の先端部ＡＰから左保持部２３の筐体内に挿入され、左表示駆動部２４に接続されている。連結部材４６は、本体コード４８と、右コード４２および左コード４４と、の分岐点に設けられ、イヤホンプラグ３０を接続するためのジャックを有している。イヤホンプラグ３０からは、右イヤホン３２および左イヤホン３４が延伸している。
【００３６】
画像表示部２０と制御部１０とは、接続部４０を介して各種信号の伝送を行なう。本体コード４８における連結部材４６とは反対側の端部と、制御部１０と、のそれぞれには、互いに嵌合するコネクター（図示しない）が設けられている。本体コード４８のコネクターと制御部１０のコネクターとの嵌合／嵌合解除により、制御部１０と画像表示部２０とが接続されたり切り離されたりする。右コード４２と、左コード４４と、本体コード４８とには、例えば、金属ケーブルや光ファイバーを採用できる。
【００３７】
制御部１０は、ＨＭＤ１００を制御するための装置である。制御部１０は、決定キー１１と、点灯部１２と、表示切替キー１３と、トラックパッド１４と、輝度切替キー１５と、方向キー１６と、メニューキー１７と、電源スイッチ１８と、を含んでいる。決定キー１１は、押下操作を検出して、制御部１０で操作された内容を決定する信号を出力する。点灯部１２は、ＨＭＤ１００の動作状態を、その発光状態によって通知する。ＨＭＤ１００の動作状態としては、例えば、電源のＯＮ／ＯＦＦ等がある。点灯部１２としては、例えば、ＬＥＤが用いられる。表示切替キー１３は、押下操作を検出して、例えば、コンテンツ動画の表示モードを３Ｄと２Ｄとに切り替える信号を出力する。トラックパッド１４は、トラックパッド１４の操作面上での使用者の指の操作を検出して、検出内容に応じた信号を出力する。トラックパッド１４としては、静電式や圧力検出式、光学式といった種々のトラックパッドを採用できる。輝度切替キー１５は、押下操作を検出して、画像表示部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、ＨＭＤ１００の電源投入状態を切り替える。
【００３８】
図４は、ＨＭＤ１００の構成を機能的に示すブロック図である。図４に示すように、制御部１０は、記憶部１２０と、電源１３０と、ＧＰＳモジュール１３７と、無線通信部１３２と、操作部１３５と、ＣＰＵ１４０と、インターフェイス１８０と、送信部５１（Ｔｘ５１）および送信部５２（Ｔｘ５２）と、を有している。操作部１３５は、使用者による操作を受け付け、決定キー１１、表示切替キー１３、トラックパッド１４、輝度切替キー１５、方向キー１６、メニューキー１７、電源スイッチ１８、から構成されている。
【００３９】
電源１３０は、ＨＭＤ１００の各部に電力を供給する。電源１３０としては、例えば二次電池を用いることができる。記憶部１２０は、種々のコンピュータープログラムを格納している。記憶部１２０は、ＲＯＭやＲＡＭ等によって構成されている。
【００４０】
ＧＰＳモジュール１３７は、ＧＰＳ衛星からの信号を受信することにより、画像表示部２０の現在位置を特定して、位置を示す位置情報を生成する。画像表示部２０の現在位置が特定されることで、ＨＭＤ１００を装着した使用者の現在位置が特定される。
【００４１】
無線通信部１３２は、無線ＬＡＮやブルートゥース（登録商標）といった所定の無線通信方式に則って他の機器との間で無線通信を行なう。無線通信部１３２は、サーバー３００の無線通信部３３０を介して送信された選択コンテンツを受信する。無線通信部１３２は、請求項における第１の通信部に相当する。
【００４２】
ＣＰＵ１４０は、記憶部１２０に格納されているコンピュータープログラムを読み出して実行することにより、オペレーティングシステム１５０（ＯＳ１５０）、表示制御部１９０、音声処理部１７０、画像処理部１６０、向き解析部１６９、画像判定部１６８、位置特定部１６６、検索決定部１６１、および、画像設定部１６５として機能する。
【００４３】
表示制御部１９０は、右表示駆動部２２および左表示駆動部２４を制御する制御信号を生成する。具体的には、表示制御部１９０は、制御信号により、右ＬＣＤ制御部２１１による右ＬＣＤ２４１の駆動ＯＮ／ＯＦＦ、右バックライト制御部２０１による右バックライト２２１の駆動ＯＮ／ＯＦＦ、左ＬＣＤ制御部２１２による左ＬＣＤ２４２の駆動ＯＮ／ＯＦＦ、左バックライト制御部２０２による左バックライト２２２の駆動ＯＮ／ＯＦＦなど、を個別に制御する。これにより、表示制御部１９０は、右表示駆動部２２および左表示駆動部２４のそれぞれによる画像光の生成および射出を制御する。例えば、表示制御部１９０は、右表示駆動部２２および左表示駆動部２４の両方に画像光を生成させたり、一方のみに画像光を生成させたり、両方共に画像光を生成させなかったりする。
【００４４】
表示制御部１９０は、右ＬＣＤ制御部２１１と左ＬＣＤ制御部２１２とに対する制御信号のそれぞれを、送信部５１および５２を介して送信する。また、表示制御部１９０は、右バックライト制御部２０１と左バックライト制御部２０２とに対する制御信号のそれぞれを送信する。
【００４５】
画像処理部１６０は、コンテンツに含まれる画像信号を取得する。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、ＰＬＬ（Phase Locked Loop）回路等（図示しない）を利用してクロック信号ＰＣＬＫを生成する。画像処理部１６０は、同期信号が分離されたアナログ画像信号を、Ａ／Ｄ変換回路等（図示しない）を用いてディジタル画像信号に変換する。その後、画像処理部１６０は、変換後のディジタル画像信号を、対象画像の画像データ（ＲＧＢデータ）として、１フレームごとに記憶部１２０内のＤＲＡＭに格納する。なお、画像処理部１６０は、必要に応じて、画像データに対して、解像度変換処理、輝度、彩度の調整といった種々の色調補正処理、キーストーン補正処理等の画像処理を実行してもよい。
【００４６】
画像処理部１６０は、生成されたクロック信号ＰＣＬＫ、垂直同期信号ＶＳｙｎｃ、水平同期信号ＨＳｙｎｃ、記憶部１２０内のＤＲＡＭに格納された画像データ、のそれぞれを、送信部５１、５２を介して送信する。なお、送信部５１を介して送信される画像データを「右眼用画像データ」とも呼び、送信部５２を介して送信される画像データを「左眼用画像データ」とも呼ぶ。送信部５１、５２は、制御部１０と画像表示部２０との間におけるシリアル伝送のためのトランシーバーとして機能する。
【００４７】
音声処理部１７０は、コンテンツに含まれる音声信号を取得し、取得した音声信号を増幅して、連結部材４６に接続された右イヤホン３２内のスピーカー（図示しない）および左イヤホン３４内のスピーカー（図示しない）に対して供給する。なお、例えば、Ｄｏｌｂｙ（登録商標）システムを採用した場合、音声信号に対する処理がなされ、右イヤホン３２および左イヤホン３４のそれぞれからは、例えば周波数等が変えられた異なる音が出力される。
【００４８】
向き解析部１６９は、後述する１０軸センサー６６によって検出された地磁気に基づいて、画像表示部２０の向きを特定する。すなわち、向き解析部１６９は、画像表示部２０を装着した使用者の視線方向を特定する。画像判定部１６８は、パターンマッチングや統計的識別法によって、無線通信部１３２が受信したコンテンツの画像データと同じ画像が撮像画像に含まれているか否かを検出する。画像判定部１６８は、撮像画像にコンテンツの画像データと同じ画像を検出した場合には、検出した画像をコンテンツと対応付けて表示するための表示対象として設定する。
【００４９】
位置特定部１６６は、ＧＰＳモジュール１３７によって生成された画像表示部２０の位置情報を、無線通信部１３２を介して、サーバー３００の無線通信部３３０に送信する。サーバー３００の情報処理部３１２は、無線通信部３３０を介して受信した画像表示部２０の位置情報に基づいて、画像表示部２０の現在位置に対応する地域を特定して、特定された地域に対応する選択コンテンツを、無線通信部３３０を介して、ＨＭＤ１００の無線通信部１３２に送信する。位置特定部１６６は、画像表示部２０の現在位置と、無線通信部１３２を介して受信されたコンテンツに対応付けられた位置と、の距離を測定する。なお、位置特定部１６６とＧＰＳモジュール１３７とは、請求項における位置特定部および距離測定部に相当する。
【００５０】
検索決定部１６１は、操作部１３５が受け付けた操作情報に基づいて、サーバー３００のコンテンツＤＢ３２５に記憶されたコンテンツ情報から、検索したいコンテンツの種類を決定する。検索決定部１６１は、検索したいコンテンツの種類を特定する検索情報を生成し、生成した検索情報を、無線通信部１３２を介して、サーバー３００の無線通信部３３０に送信する。なお、検索決定部１６１は、請求項における制御部に相当し、検索情報は、請求項におけるコンテンツ指定情報に相当する。
【００５１】
画像設定部１６５は、無線通信部１３２を介して受信した選択コンテンツと、操作部１３５が受け付けた操作情報と、画像判定部１６８によって設定された表示対象と、に基づいて選択コンテンツに含まれるコンテンツの表示位置などを含む表示態様を決定する。画像設定部１６５は、決定した表示態様によってコンテンツの画像を、画像表示部２０を用いて表示する。なお、画像設定部１６５は、請求項における制御部に相当する。
【００５２】
インターフェイス１８０は、制御部１０に対して、コンテンツの供給元となる種々の外部機器ＯＡを接続するためのインターフェイスである。外部機器ＯＡとしては、例えば、パーソナルコンピューター（ＰＣ）や携帯電話端末、ゲーム端末等、がある。インターフェイス１８０としては、例えば、ＵＳＢインターフェイス、マイクロＵＳＢインターフェイス、メモリーカード用インターフェイス等、を用いることができる。
【００５３】
画像表示部２０は、１０軸センサー６６と、右表示駆動部２２と、左表示駆動部２４と、右光学像表示部２６としての右導光板２６１と、左光学像表示部２８としての左導光板２６２と、カメラ６１と、を備えている。
【００５４】
１０軸センサー６６は、加速度（３軸）、角速度（３軸）、地磁気（３軸）、および、気圧（１軸）を検出するセンサーである。１０軸センサー６６は、画像表示部２０における右表示駆動部２２の近くに内蔵されており、画像表示部２０が使用者の頭部に装着されているときには、使用者の頭部の動きや位置を検出する。なお、１０軸センサー６６と向き解析部１６９とは、請求項における向き特定部に相当する。
【００５５】
右表示駆動部２２は、受信部５３（Ｒｘ５３）と、光源として機能する右バックライト制御部２０１（右ＢＬ制御部２０１）および右バックライト２２１（右ＢＬ２２１）と、表示素子として機能する右ＬＣＤ制御部２１１および右ＬＣＤ２４１と、右投写光学系２５１と、を含んでいる。右バックライト制御部２０１と右バックライト２２１とは、光源として機能する。右ＬＣＤ制御部２１１と右ＬＣＤ２４１とは、表示素子として機能する。なお、右バックライト制御部２０１と、右ＬＣＤ制御部２１１と、右バックライト２２１と、右ＬＣＤ２４１と、を総称して「画像光生成部」とも呼ぶ。
【００５６】
受信部５３は、制御部１０と画像表示部２０との間におけるシリアル伝送のためのレシーバーとして機能する。右バックライト制御部２０１は、入力された制御信号に基づいて、右バックライト２２１を駆動する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データと、に基づいて、右ＬＣＤ２４１を駆動する。右ＬＣＤ２４１は、複数の画素をマトリクス状に配置した透過型液晶パネルである。
【００５７】
右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。なお、右投写光学系２５１と右導光板２６１とを総称して「導光部」とも呼ぶ。
【００５８】
左表示駆動部２４は、右表示駆動部２２と同様の構成を有している。左表示駆動部２４は、受信部５４（Ｒｘ５４）と、光源として機能する左バックライト制御部２０２（左ＢＬ制御部２０２）および左バックライト２２２（左ＢＬ２２２）と、表示素子として機能する左ＬＣＤ制御部２１２および左ＬＣＤ２４２と、左投写光学系２５２と、を含んでいる。左バックライト制御部２０２と左バックライト２２２とは、光源として機能する。左ＬＣＤ制御部２１２と左ＬＣＤ２４２とは、表示素子として機能する。なお、左バックライト制御部２０２と、左ＬＣＤ制御部２１２と、左バックライト２２２と、左ＬＣＤ２４２と、を総称して「画像光生成部」とも呼ぶ。また、左投写光学系２５２は、左ＬＣＤ２４２から射出された画像光を並行状態の光束にするコリメートレンズによって構成される。左光学像表示部２８としての左導光板２６２は、左投写光学系２５２から出力された画像光を、所定の光路に沿って反射させつつ使用者の左眼ＬＥに導く。なお、左投写光学系２５２と左導光板２６２とを総称して「導光部」とも呼ぶ。
【００５９】
図５は、画像光生成部によって画像光が射出される様子を示す説明図である。右ＬＣＤ２４１は、マトリクス状に配置された各画素位置の液晶を駆動することによって、右ＬＣＤ２４１を透過する光の透過率を変化させることにより、右バックライト２２１から照射される照明光ＩＬを、画像を表わす有効な画像光ＰＬへと変調する。左側についても同様である。なお、図５に示すように、本実施形態ではバックライト方式を採用したが、フロントライト方式や、反射方式を用いて画像光を射出する構成としてもよい。
【００６０】
Ａ−２．コンテンツ表示処理：
図６は、コンテンツ表示処理の流れを示す説明図である。コンテンツ表示処理では、ＨＭＤ１００の制御部１０が画像表示部２０の現在位置と視線方向とを特定した後、サーバー３００が特定された現在位置と視線方向とに対応付けられた選択コンテンツをＨＭＤ１００に送信し、ＨＭＤ１００の制御部１０が選択コンテンツを画像表示部２０に表示させる。
【００６１】
初めに、制御部１０の検索決定部１６１は、操作部１３５が受け付けた操作に基づいて、サーバー３００のコンテンツＤＢ３２５に記憶されたコンテンツ情報から検索するコンテンツを決定し（ステップＳ１０）、コンテンツの検索内容を示す検索情報を生成する。コンテンツの検索としては、例えば、図４に示したような観光名所の検索などがある。
【００６２】
検索するコンテンツが決定されると、ＧＰＳモジュール１３７がＧＰＳ衛星からの信号を受信することで、位置特定部１６６は、画像表示部２０の現在位置を特定する（ステップＳ１２）。次に、無線通信部１３２は、生成された検索情報と生成された画像表示部２０の位置情報とをサーバー３００に送信する（ステップＳ１４）。サーバー３００の情報処理部３１２は、無線通信部３３０を介して、無線通信部１３２によって送信された検索情報と画像表示部２０の位置情報とを取得する。情報処理部３１２は、取得した検索情報と画像表示部２０の位置情報とに対応付けられ、記憶部３２０に記憶されたコンテンツを選択し、無線通信部３３０を介して、選択した選択コンテンツをＨＭＤ１００に送信する。
【００６３】
次に、ＨＭＤ１００の画像設定部１６５は、無線通信部１３２を介して、無線通信部３３０から送信された選択コンテンツを受信する（ステップＳ１６）。次に、向き解析部１６９は、１０軸センサー６６によって検出された地磁気に基づいて、画像表示部２０の向きを特定し、使用者の視線方向を特定する（ステップＳ１８）。向き解析部１６９は、特定した画像表示部２０の向きを中心として予め設定された範囲（例えば、左右９０度、上下６０度）を、使用者の仮想的な仮想視野として設定する。なお、本実施形態では、コンテンツの検索が観光名所の検索である場合について説明する。
【００６４】
図７は、ＨＭＤ１００の使用者ＵＳと検索された観光名所との位置関係を示す鳥瞰図である。本実施形態では、サーバー３００は、送信される選択コンテンツとして、特定された画像表示部２０の現在位置から予め設定された一定距離に存在する観光名所のコンテンツをＨＭＤ１００に送信する。図７に示すように、サーバー３００からＨＭＤ１００へと配信されたコンテンツは、Ａ１タワーＴＡ１と、市民公園ＰＡ１と、Ｂ１寺ＴＢ１と、Ｂ１渓谷ＣＢ１と、の４つの観光名所である。図７には、境界線ＬＮ１で区切られた地域Ａ１と地域Ｂ１とが示されている。Ａ１タワーＴＡ１と市民公園ＰＡ１とは、地域Ａ１に存在し、Ｂ１寺ＴＢ１とＢ１渓谷ＣＢ１とは、地域Ｂ１に存在する。ＨＭＤ１００の使用者ＵＳの現在位置は、地域Ａ１である。図７にハッチングで示された領域は、向き解析部１６９によって設定された使用者ＵＳの仮想視野ＶＲ１である。図７に示すように、仮想視野ＶＲ１には、送信された４つの観光名所の内、Ａ１タワーＴＡ１とＢ１寺ＴＢ１とが含まれる。
【００６５】
コンテンツ表示処理において、使用者ＵＳの視線方向が特定されると（図６のステップＳ１８）、画像設定部１６５は、特定された画像表示部２０の現在位置と特定された視線方向とに基づいて、受信された選択コンテンツに含まれるコンテンツに優先度を設定する（ステップＳ２０）。本実施形態では、画像設定部１６５は、使用者ＵＳの距離と、設定された仮想視野ＶＲ１と、使用者ＵＳが存在している地域と同じ地域であるか否かと、の関係によって、送信されたコンテンツである観光名所（図７）の優先度を設定する。具体的には、画像設定部１６５は、使用者ＵＳとの距離が近い観光名所ほど優先度を高く設定し、また、仮想視野ＶＲ１に含まれる観光名所の優先度を高く設定する。図７に示す例では、画像設定部１６５は、使用者ＵＳとの距離が最も近く、仮想視野ＶＲ１にも含まれ、使用者ＵＳと同じ地域Ａ１に存在するＡ１タワーＴＡ１の優先度を最も高く設定する。Ｂ１寺ＴＢ１とＢ１渓谷ＣＢ１とでは、どちらの観光名所も、使用者ＵＳからの距離が同じであり、かつ、存在する地域Ｂ１が使用者ＵＳの現在位置が含まれる地域Ａ１とは異なる。そのため、画像設定部１６５は、４つの観光名所の内、仮想視野ＶＲ１に含まれるＢ１寺ＴＢ１を２番目の優先度の観光名所として設定し、仮想視野ＶＲ１に含まれないＢ１渓谷ＣＢ１を３番目の優先度の観光名所として設定する。市民公園ＰＡ１は、存在している場所が使用者ＵＳの現在位置が含まれる地域Ａ１と同じであるものの、４つの観光名所の内では使用者ＵＳとの距離が最も遠く、仮想視野ＶＲ１にも含まれない。そのため、画像設定部１６５は、４つの観光名所の内、市民公園ＰＡ１を４番目の優先度の観光名所として設定する。
【００６６】
受信されたコンテンツである４つの観光名所の優先度が設定されると（ステップＳ２０）、カメラ６１は、外景を撮像する（ステップＳ２２）。本実施形態では、カメラ６１の画角の中心と、特定された使用者ＵＳの視線方向と、が同じになるように設定されている。次に、画像判定部１６８は、カメラ６１によって撮像された撮像画像の中に、優先度が最も高く設定された第１優先コンテンツであるＡ１タワーＴＡ１の画像を、パターンマッチング等を用いることによって検出する（ステップＳ２４）。
【００６７】
図８は、カメラ６１によって撮像された撮像画像ＩＭＧの一例を示す説明図である。図８に示すように、外景ＳＣを撮像した撮像画像ＩＭＧには、Ａ１タワーＴＡ１が含まれている。なお、破線で示された画像表示最大領域ＰＮは、画像表示部２０が画像を表示できる領域の外枠を示しており、使用者には視認されない。
【００６８】
図６のステップＳ２４の処理において、撮像画像に第１優先コンテンツであるＡ１タワーＴＡ１の画像が検出された場合には（ステップＳ２４：ＹＥＳ）、画像設定部１６５は、画像表示部２０の画像形成部を用いて、第１優先コンテンツを検出されたＡ１タワーＴＡ１に対応付けて画像表示最大領域ＰＮにＡＲ（Augmented Reality）表示し、４つの観光名所の内、第１優先コンテンツ以外のコンテンツを画像表示最大領域ＰＮにリスト表示する（ステップＳ２６）。
【００６９】
図９は、テキスト画像ＴＸ１，ＴＸ２および矢印画像ＣＳ１が表示された場合に使用者が視認する視認視野ＶＲ２の一例を示す説明図である。図９では、テキスト画像ＴＸ１等が画像表示最大領域ＰＮに表示され、外景ＳＣにテキスト画像ＴＸ１等が重畳されてＡＲ表示された状態が示されている。図９に示すように、画像設定部１６５は、検出された第１優先コンテンツのＡ１タワーＴＡ１の撮像画像ＩＭＧにおける位置に対応付けて、Ａ１タワーＴＡ１に関する情報を示すテキスト画像ＴＸ１を画像表示最大領域ＰＮに表示させている。テキスト画像ＴＸ１は、Ａ１タワーＴＡ１に関する情報として、名称と、Ａ１タワーＴＡ１が存在する場所と、Ａ１タワーＴＡ１の別名と、を含んでいる。また、画像設定部１６５は、第１優先コンテンツ以外のコンテンツであるＢ１寺ＴＢ１と、Ｂ１渓谷ＣＢ１と、市民公園ＰＡ１と、を優先度順に一覧のテキスト画像ＴＸ２としてリスト表示している。矢印画像ＣＳ１は、画像設定部１６５によって表示された画像であり、操作部１３５が操作されることで画像表示最大領域ＰＮにおける位置を変更する。
【００７０】
図６のステップＳ２４の処理において、撮像画像に第１優先コンテンツの画像が検出されなかった場合には（ステップＳ２４：ＮＯ）、本実施形態では、画像設定部１６５は、第１優先コンテンツを他のコンテンツと同様に、図９に示すテキスト画像ＴＸ２のように、コンテンツを一覧のテキスト画像として画像表示最大領域ＰＮに表示させる（ステップＳ２８）。
【００７１】
ステップＳ２６の処理、または、ステップＳ２８の処理が行なわれると、画像設定部１６５は、操作情報に基づいて画像表示最大領域ＰＮに表示された矢印画像ＣＳ１の位置を変更して、画像表示最大領域ＰＮに表示されたコンテンツのいずれかを選択する選択操作の検出を監視する（ステップＳ３０）。選択操作が検出された場合には（ステップＳ３０：ＹＥＳ）、画像設定部１６５は、選択されたコンテンツの詳細情報を表示するために、画像表示最大領域ＰＮを選択コンテンツ表示モードに設定する（ステップＳ３２）。
【００７２】
図１０および図１１は、選択コンテンツ表示モードに設定される前後に使用者が視認する視認視野ＶＲ２の一例を示す説明図である。図１０には、選択されるコンテンツとして、Ｂ１寺ＴＢ１が選択される直前の視認視野ＶＲ２が示されている。本実施形態では、操作部１３５が所定の操作を受け付けることによって矢印画像ＣＳ１の画像表示最大領域ＰＮにおける表示位置が変化する。矢印画像ＣＳ１が表示されたコンテンツである観光名所の名称に重なった状態で、操作部１３５が決定の操作を受け付けると、画像設定部１６５は、矢印画像ＣＳ１が重なった観光名所の詳細情報を画像表示最大領域ＰＮに表示させる。以降では、図１０に示すように、矢印画像ＣＳ１がテキスト画像ＴＸ２に含まれるＢ１寺ＴＢ１の文字画像に重なった状態で、Ｂ１寺ＴＢ１がコンテンツとして選択された場合について説明する。
【００７３】
図１１には、選択されるコンテンツとして、テキスト画像ＴＸ２に含まれるＢ１寺ＴＢ１が選択された場合の視認視野ＶＲ２が示されている。図１１に示すように、Ｂ１寺ＴＢ１が選択された場合に、画像設定部１６５は、テキスト画像ＴＸ１およびテキスト画像ＴＸ２の代わりに、テキスト画像ＴＸ３と、テキスト画像ＴＸ４と、テキスト画像ＴＸ５と、テキスト画像ＴＸ６と、矢印画像ＣＳ２と、を画像表示最大領域ＰＮに表示させる。テキスト画像ＴＸ４は、第１優先コンテンツの位置を示すためのＡＲ表示された画像である。また、テキスト画像ＴＸ３は、選択されたＢ１寺ＴＢ１に関連する詳細な情報を示す画像である。テキスト画像ＴＸ３は、詳細な情報として、名称と、Ｂ１寺ＴＢ１の建造時代と、を含んでいる。テキスト画像ＴＸ６は、位置特定部１６６によって測定された画像表示部２０の現在位置とＢ１寺ＴＢ１との距離を示す画像である。また、矢印画像ＣＳ２は、特定された使用者ＵＳの現在位置および視線方向に基づいて特定されるＢ１寺ＴＢ１の位置を示す画像である。テキスト画像ＴＸ５は、第１優先コンテンツおよび選択されたコンテンツ以外のコンテンツを一覧でリスト表示する画像である。なお、Ｂ１寺ＴＢ１が選択された場合の選択コンテンツ表示モードでは、テキスト画像ＴＸ５に示すように、使用者ＵＳの向きに対して、Ｂ１渓谷ＣＢ１および市民公園ＰＡ１が存在する位置の方角が示される。
【００７４】
図６のステップＳ３２の処理が行なわれる、または、ステップＳ３０の処理において、コンテンツが選択される選択操作が検出されなかった場合には（ステップＳ３０：ＮＯ）、位置特定部１６６が使用者ＵＳの現在位置の変化の検出を監視し、向き解析部１６９が使用者ＵＳの向きの変化の検出を監視する（ステップＳ３４）。使用者ＵＳの現在位置と向きとの少なくとも一方が変化した場合には（ステップＳ３４：ＹＥＳ）、制御部１０は、再度、ステップＳ１２以降の処理を行なう。ステップＳ３４の処理において、使用者ＵＳの現在位置および視線方向が変化しなかった場合には（ステップＳ３４：ＮＯ）、操作部１３５は、コンテンツ表示処理を終了するための所定の操作の受付を監視する（ステップＳ３６）。操作部１３５がコンテンツ表示処理を終了する所定の操作を受け付けなかった場合には（ステップＳ３６：ＮＯ）、制御部１０は、引き続き、ステップＳ３０以降の処理を行なう。ステップＳ３６の処理において、操作部１３５がコンテンツ表示処理を終了する所定の操作を受け付けた場合には（ステップＳ３６：ＹＥＳ）、画像設定部１６５が画像表示最大領域ＰＮに表示させた画像を非表示にして、制御部１０は、コンテンツ表示処理を終了する。
【００７５】
以上説明したように、本実施形態の情報配信システム５００では、サーバー３００の情報処理部３１２は、ＧＰＳモジュール１３７および位置特定部１６６によって特定された画像表示部２０の位置に基づいて、記憶部３２０のコンテンツＤＢ３２５に記憶された複数のコンテンツを選択する。ＨＭＤ１００の画像設定部１６５は、サーバー３００から送信された選択コンテンツの内の１つのコンテンツを第１優先コンテンツとして設定して、選択コンテンツの第１優先コンテンツ以外のコンテンツとは異なる表示態様で画像表示部２０に表示させる。そのため、本実施形態の情報配信システム５００では、ＨＭＤ１００の画像表示部２０に表示させる画像を、使用者ＵＳの現在位置や視線方向以外の情報も加味した優先度を設定し、設定した優先度によってコンテンツの表示態様を変える。これにより、使用者ＵＳが視認したいコンテンツを他のコンテンツよりも優先的に、かつ、詳細に画像表示部２０に表示させられるので、使用者にとっての利便性が向上する。
【００７６】
また、本実施形態の情報配信システム５００では、ＨＭＤ１００の画像表示部２０が使用者ＵＳの頭部に装着されて外景を透過し、１０軸センサー６６および向き解析部１６９は、画像表示部２０の向きを特定し、使用者ＵＳの視線方向を特定する。画像設定部１６５は、画像表示部２０の現在位置と、使用者ＵＳの視線方向と、サーバー３００から送信された選択コンテンツと、に基づいて、選択コンテンツの内、第１優先コンテンツについて詳細までテキスト画像ＴＸ１として表示し、第１優先コンテンツ以外のコンテンツをテキスト画像ＴＸ２のようにリスト表示する。そのため、本実施形態の情報配信システム５００では、使用者が視認したいと考えられるコンテンツについて詳しく表示し、それ以外のコンテンツについては最低限の情報を表示する。これにより、使用者は、広い範囲で透過する外景ＳＣを視認した上で、第１優先コンテンツの詳細な情報を視認でき、使用者にとっての利便性がより向上する。
【００７７】
また、本実施形態の情報配信システム５００では、カメラ６１が外景ＳＣを撮像し、画像設定部１６５は、撮像された撮像画像ＩＭＧの中に検出された表示対象の位置に対応付けて第１優先コンテンツの画像を画像表示部２０にＡＲ表示させる。そのため、本実施形態の情報配信システム５００では、使用者は、表示された画像が撮像画像の中のいずれのコンテンツについての情報であるのかを視認できるので、コンテンツの画像と外景ＳＣに含まれる表示対象との対応関係を認識しやすく、使用者にとっての利便性がより向上する。
【００７８】
また、本実施形態の情報配信システム５００では、画像設定部１６５は、位置特定部１６６によって測定された画像表示部２０の現在位置と、コンテンツのＢ１寺ＴＢ１が対応付けられた位置と、に基づいて、使用者ＵＳの現在位置とＢ１寺ＴＢ１との距離とを示すテキスト画像ＴＸ６を画像表示部２０に表示させる。そのため、本実施形態の情報配信システム５００では、コンテンツが特定の位置に対応付けられた観光名所等である場合に、使用者は、コンテンツを外景ＳＣとして視認できなくても、コンテンツが対応付けられた位置までの距離を認識でき、使用者にとっての利便性がより向上する。
【００７９】
また、本実施形態の情報配信システム５００では、検索決定部１６１が操作部１３５によって受け付けられた操作情報に基づいて検索したいコンテンツの種類を決定し、サーバー３００の情報処理部３１２が生成された検索情報に基づいて記憶部３２０のコンテンツＤＢ３２５に記憶されたコンテンツを選択する。そのため、本実施形態の情報配信システム５００では、コンテンツＤＢ３２５に記憶されたコンテンツ情報から、検索情報に基づいてより絞られた選択コンテンツがＨＭＤ１００に送信されるので、使用者ＵＳが視認したいコンテンツの画像をより適切に画像表示部２０に表示でき、使用者にとっての利便性がより向上する。
【００８０】
Ｂ．変形例：
なお、この発明は上記実施形態に限られるものではなく、その要旨を逸脱しない範囲において種々の態様において実施することが可能であり、例えば、次のような変形も可能である。
【００８１】
Ｂ１．変形例１：
上記実施形態では、画像設定部１６５が、特定された画像表示部２０の現在位置と特定された使用者ＵＳの視線方向とに基づいて、選択コンテンツに含まれるコンテンツの優先度を設定したが、サーバー３００が視線方向に基づいて選択コンテンツを選択してもよい。例えば、サーバー３００の情報処理部３１２は、ＨＭＤ１００に選択コンテンツを送信する前に、ＨＭＤ１００から送信された使用者ＵＳの視線方向を示す向き情報を受信し、受信した視線方向と画像表示部２０の現在位置とに基づいて、選択コンテンツを選択する。この変形例では、使用者は、広い範囲で透過する外景ＳＣを視認した上で、第１優先コンテンツの詳細な情報を視認でき、かつ、ＨＭＤ１００の制御部１０に行なわせる処理の負担を低減できる。
【００８２】
また、上記実施形態では、画像設定部１６５は、特定された使用者ＵＳの視線方向に基づいてコンテンツの優先度を設定したが、特定された使用者ＵＳの視線方向の変化ログに基づいて、コンテンツの優先度を設定してもよい。例えば、画像設定部１６５は、使用者ＵＳの視線方向の変化を記憶し、記憶した視線方向の変化ログによって仮想視野ＶＲ１を設定してもよい。仮想視野ＶＲ１は、上記実施形態では、画像表示部２０の向きを中心として予め設定された範囲であったが、変形例では、視線方向の変化ログにおいて、画像表示部２０の向きの中心が変化した範囲として設定されてもよい。この変形例では、画像設定部１６５は、使用者ＵＳの視線方向に加えて、記憶された視線方向の変化ログも考慮して、画像表示部２０に表示させる画像の表示態様を設定するため、使用者ＵＳが視認したいコンテンツをより適切に提供できる。
【００８３】
また、視線方向の変化ログは、撮像された撮像画像に含まれる特定の対象物の画像の種類や特定の文字画像に基づいて、設定されてもよい。画像設定部１６５は、設定された変化ログに基づいて、第１優先コンテンツの画像の表示態様と、他のコンテンツの画像の表示態様と、を設定してもよい。
【００８４】
上記実施形態では、画像設定部１６５が画像表示部２０に表示させるコンテンツの表示態様として、画像が表示される表示位置を例に挙げて説明したが、表示位置以外であってもよい。例えば、画像設定部１６５は、第１優先コンテンツとそれ以外のコンテンツとにおいて、外景ＳＣの透過率を異なるように設定してもよい。また、第１優先コンテンツとそれ以外のコンテンツとがテキスト画像である場合に、画像設定部１６５は、画像の表示態様として、テキストのフォントを、第１優先コンテンツとそれ以外のコンテンツとで異なるように設定してもよい。
【００８５】
また、上記実施形態では、画像設定部１６５は、第１優先コンテンツに対応付けられた画像の表示態様の設定として、外景ＳＣに重畳するようにＡＲ表示したが、第１優先コンテンツ以外の表示態様を設定してもよい。例えば、画像設定部１６５は、第１優先コンテンツ以外のコンテンツをＡＲ表示してもよい。また、第１優先コンテンツに対応付けられた画像を画像表示最大領域ＰＮの中央部に表示し、第１優先コンテンツ以外のコンテンツに対応付けられた画像を画像表示最大領域ＰＮの中央部以外に表示してもよい。
【００８６】
上記実施形態では、画像設定部１６５は、第１優先コンテンツの画像の表示態様と、その他のコンテンツの全ての画像の表示態様と、が異なるように画像表示最大領域ＰＮに表示したが、表示態様の設定については、これに限られず、種々変形可能である。例えば、画像設定部１６５は、第１優先コンテンツの画像を画像表示最大領域ＰＮに表示させ、その他のコンテンツの画像の一部を画像表示最大領域ＰＮに表示させてもよい。また、画像設定部１６５は、第１優先コンテンツ以外のその他のコンテンツにも優先度を設定して、優先度に応じて、第１優先コンテンツ、第２優先コンテンツ、第３優先コンテンツで異なる表示態様によって、それぞれのコンテンツに対応付けられた画像を画像表示最大領域ＰＮに表示させてもよい。
【００８７】
また、上記実施形態では、画像設定部１６５は、第１優先コンテンツに対応付けられた画像が撮像画像に含まれる場合に、第１優先コンテンツの画像の表示態様を、他のコンテンツに対応付けられた画像の表示態様と異なるように画像表示最大領域ＰＮに表示させたが、第１優先コンテンツの表示態様を設定する条件については、これに限られず、種々変形可能である。例えば、第１優先コンテンツの画像が撮像画像に含まれているか否かにかかわらず、画像設定部１６５は、設定されたコンテンツの優先度（例えば、図６のステップＳ２０）に基づいて、第１優先コンテンツの表示態様を、他のコンテンツの画像の表示態様と常に異なるように表示してもよい。
【００８８】
また、上記実施形態では、カメラ６１の撮像画像によって第１優先コンテンツが設定されたが、第１優先コンテンツを設定する際に用いられる画像は、カメラ６１によって撮像された画像でなくてもよい。例えば、第１優先コンテンツを設定する際に、サーバー３００およびＨＭＤ１００とは異なる別の装置によって撮像された画像が用いられてもよいし、過去に撮像された画像データを基にした画像であってもよい。
【００８９】
Ｂ２．変形例２：
上記実施形態では、ＨＭＤ１００とサーバー３００とを備える情報配信システム５００について説明したが、上記実施形態でサーバー３００が行なった制御を変形例のＨＭＤ１００ａが行なってもよい。この変形例では、ＨＭＤ１００ａの記憶部１２０ａは、上記実施形態の記憶部３２０が有するコンテンツＤＢ３２５を有する。ＨＭＤ１００ａの画像設定部１６５ａは、特定された画像表示部２０ａの現在位置や画像表示部２０ａの向きに基づいて、記憶部１２０ａに記憶されたコンテンツ情報から複数のコンテンツを選択する。この変形例のＨＭＤ１００ａでは、使用者ＵＳが視認したいコンテンツを他のコンテンツよりも優先的に、かつ、詳細に画像表示部２０に表示させられるので、使用者にとっての利便性が向上する。
【００９０】
変形例のＨＭＤ１００ａの記憶部１２０ａは、インターフェイス１８０を介して、コンテンツＤＢ３２５に記憶されたコンテンツ情報をアップデートできる。また、ＨＭＤ１００ａは、無線通信部１３２を備えていなくてもよい。
【００９１】
上記実施形態では、コンテンツとして、建造物等の画像データ、および、当該建造物に対応付けられて記憶された情報の文字画像等の画像データが用いられたが、コンテンツについては、これに限られず、種々変形可能である。例えば、動画などのデータであってもよいし、音声を特定するデータであってもよい。本明細書では、コンテンツとは、情報を表す画像等の何らかの媒体のことをいう。
【００９２】
上記実施形態では、画像表示部２０の位置を特定するために、ＧＰＳモジュール１３７が用いられたが、画像表示部２０の位置を特定する手段については、種々変形可能である。例えば、画像表示部２０の位置を特定するために、コンテンツと関連する物体から発信される電波、ビーコン（Beacon）から発信される電波などが画像表示部２０に形成された受信部等によって受信されることで、音波の発信源との距離や位置関係を特定する方法が用いられてもよい。また、ＩＣタグを読み取ることによって、画像表示部２０と読み取られたＩＣタグとの距離や位置関係が特定されてもよい。逆に、画像表示部２０に電波を発信するビーコンなどが備え付けられて、予め設置位置が確定している画像表示部２０以外の物体がビーコンから発信された電波を受信し、受信された電波がサーバー３００などによって判定されることで、画像表示部２０の位置が特定されてもよい。
【００９３】
Ｂ３．変形例３：
上記実施形態では、制御部１０に操作部１３５が形成されたが、操作部１３５の態様については種々変形可能である。例えば、制御部１０とは別体で操作部１３５であるユーザーインターフェースがある態様でもよい。この場合に、操作部１３５は、電源１３０等が形成された制御部１０とは別体であるため、小型化でき、使用者の操作性が向上する。また、操作部の動きを検出する１０軸センサーを操作部１３５にも形成して、検出した動きに基づいて各種操作が行なわれることで、使用者は、感覚的にＨＭＤ１００の操作ができる。
【００９４】
例えば、画像光生成部は、有機ＥＬ（有機エレクトロルミネッセンス、Organic Electro-Luminescence）のディスプレイと、有機ＥＬ制御部とを備える構成としてもよい。また、例えば、画像生成部は、ＬＣＤに代えて、ＬＣＯＳ（Liquid crystal on silicon, LCoS は登録商標）や、デジタル・マイクロミラー・デバイス等を用いることもできる。また、例えば、レーザー網膜投影型のヘッドマウントディスプレイに対して本発明を適用することも可能である。レーザー網膜投影型の場合、画像表示最大領域ＰＮは、使用者の眼に認識される画像領域として定義できる。
【００９５】
また、例えば、ＨＭＤ１００は、光学像表示部が使用者の眼の一部分のみを覆う態様、換言すれば、光学像表示部が使用者の眼を完全に覆わない態様のヘッドマウントディスプレイとしてもよい。また、ＨＭＤ１００は、いわゆる単眼タイプのヘッドマウントディスプレイであるとしてもよい。
【００９６】
図１２は、変形例におけるＨＭＤ１００の外観構成を示す説明図である。図１２（Ａ）の例の場合、図１に示したＨＭＤ１００との違いは、画像表示部２０ｂが、右光学像表示部２６に代えて右光学像表示部２６ｂを備える点と、左光学像表示部２８に代えて左光学像表示部２８ｂを備える点である。右光学像表示部２６ｂは、上記実施形態の光学部材よりも小さく形成され、ＨＭＤ１００ｂの装着時における使用者の右眼の斜め上に配置されている。同様に、左光学像表示部２８ｂは、上記実施形態の光学部材よりも小さく形成され、ＨＭＤ１００ｂの装着時における使用者の左眼の斜め上に配置されている。図１２（Ｂ）の例の場合、図１に示したＨＭＤ１００との違いは、画像表示部２０ｃが、右光学像表示部２６に代えて右光学像表示部２６ｃを備える点と、左光学像表示部２８に代えて左光学像表示部２８ｃを備える点である。右光学像表示部２６ｃは、上記実施形態の光学部材よりも小さく形成され、ヘッドマウントディスプレイの装着時における使用者の右眼の斜め下に配置されている。左光学像表示部２８ｃは、上記実施形態の光学部材よりも小さく形成され、ヘッドマウントディスプレイの装着時における使用者の左眼の斜め下に配置されている。このように、光学像表示部は使用者の眼の近傍に配置されていれば足りる。また、光学像表示部を形成する光学部材の大きさも任意であり、光学像表示部が使用者の眼の一部分のみを覆う態様、換言すれば、光学像表示部が使用者の眼を完全に覆わない態様のＨＭＤ１００として実現できる。
【００９７】
また、イヤホンは耳掛け型やヘッドバンド型を採用してもよく、省略してもよい。また、例えば、自動車や飛行機等の車両に搭載されるヘッドマウントディスプレイとして構成されてもよい。また、例えば、ヘルメット等の身体防護具に内蔵されたヘッドマウントディスプレイとして構成されてもよい。
【００９８】
上記実施形態におけるＨＭＤ１００の構成は、あくまで一例であり、種々変形可能である。例えば、制御部１０に設けられた方向キー１６やトラックパッド１４の一方を省略したり、方向キー１６やトラックパッド１４に加えてまたは方向キー１６やトラックパッド１４に代えて操作用スティック等の他の操作用インターフェイスを設けたりしてもよい。また、制御部１０は、キーボードやマウス等の入力デバイスを接続可能な構成であり、キーボードやマウスから入力を受け付けるものとしてもよい。
【００９９】
また、画像表示部として、眼鏡のように装着する画像表示部２０に代えて、例えば帽子のように装着する画像表示部といった他の方式の画像表示部が採用されてもよい。また、ＨＭＤ１００の代わりに、双眼鏡のように、頭部に装着する代わりに手などで眼前に保持して、覗き込むことにより、表示画像を視認できる画像表示装置として、ハンドヘルドディプレイ（Hand Held Display）が採用されてもよい。また、イヤホン３２，３４は適宜省略可能である。
【０１００】
また、上記実施形態において、ＨＭＤ１００は、使用者の左右の眼に同じ画像を表わす画像光を導いて使用者に二次元画像を視認させるとしてもよいし、使用者の左右の眼に異なる画像を表わす画像光を導いて使用者に三次元画像を視認させるとしてもよい。
【０１０１】
また、上記実施形態において、ハードウェアによって実現されていた構成の一部をソフトウェアに置き換えるようにしてもよく、逆に、ソフトウェアによって実現されていた構成の一部をハードウェアに置き換えるようにしてもよい。例えば、上記実施形態では、画像処理部１６０や音声処理部１７０は、ＣＰＵ１４０がコンピュータープログラムを読み出して実行することにより実現されるとしているが、これらの機能部はハードウェア回路により実現されるとしてもよい。
【０１０２】
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【０１０３】
また、上記実施形態では、図１および図４に示すように、制御部１０と画像表示部２０とが別々の構成として形成されているが、制御部１０と画像表示部２０との構成については、これに限られず、種々変形可能である。例えば、画像表示部２０の内部に、制御部１０に形成された構成の全てが形成されてもよいし、一部が形成されてもよい。また、上記実施形態における電源１３０が単独で形成されて、交換可能な構成であってもよいし、制御部１０に形成された構成が重複して画像表示部２０に形成されていてもよい。例えば、図４に示すＣＰＵ１４０が制御部１０と画像表示部２０との両方に形成されていてもよいし、制御部１０に形成されたＣＰＵ１４０と画像表示部２０に形成されたＣＰＵとが行なう機能が別々に分けられている構成としてもよい。
【０１０４】
また、制御部１０と画像表示部２０とが一体化して、使用者の衣服に取り付けられるウェアラブルコンピューターの態様であってもよい。
【０１０５】
本発明は、上記実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行なうことが可能である。また、その技術的特徴が本明細書中に必須なものとして説明されていなければ、適宜、削除することが可能である。
【符号の説明】
【０１０６】
１０…制御部
１１…決定キー
１２…点灯部
１３…表示切替キー
１４…トラックパッド
１５…輝度切替キー
１６…方向キー
１７…メニューキー
１８…電源スイッチ
２０…画像表示部
２１…右保持部
２２…右表示駆動部
２３…左保持部
２４…左表示駆動部
２６…右光学像表示部
２８…左光学像表示部
３０…イヤホンプラグ
３２…右イヤホン
３４…左イヤホン
４０…接続部
４２…右コード
４４…左コード
４６…連結部材
４８…本体コード
５１，５２…送信部
５３，５４…受信部
６１…カメラ（撮像部）
６６…１０軸センサー（向き特定部）
１００…ＨＭＤ（画像表示装置）
１２０…記憶部
１３０…電源
１３２…無線通信部（第１の通信部）
１３５…操作部
１３７…ＧＰＳモジュール（位置特定部、距離測定部）
１４０…ＣＰＵ
１５０…オペレーティングシステム
１６０…画像処理部
１６１…検索決定部（制御部）
１６５…画像設定部（制御部）
１６６…位置特定部（位置特定部、距離測定部）
１６８…画像判定部（制御部）
１６９…向き解析部（向き特定部）
１７０…音声処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
３００…サーバー（情報処理装置）
３１０…ＣＰＵ
３１２…情報処理部（選択部）
３２０…記憶部
３２５…コンテンツＤＢ
３２７…観光名所データ
３３０…無線通信部（第２の通信部）
５００…情報配信システム
ＶＳｙｎｃ…垂直同期信号
ＨＳｙｎｃ…水平同期信号
ＰＣＬＫ…クロック信号
Ａ１，Ｂ１…地域
ＳＣ…外景
ＲＥ…右眼
ＬＥ…左眼
ＥＬ…端部
ＩＬ…照明光
ＰＬ…画像光
ＰＮ…画像表示最大領域
ＡＰ…先端部
ＥＲ…端部
ＵＳ…使用者
ＴＡ１…Ａ１タワー
ＰＡ１…市民公園
ＴＢ１…Ｂ１寺
ＣＢ１…Ｂ１渓谷
ＬＮ１…境界線
ＶＲ１…仮想視野
ＶＲ２…視認視野
ＣＳ１，ＣＳ２…矢印画像
ＴＸ１，ＴＸ２，ＴＸ３，ＴＸ４，ＴＸ５，ＴＸ６…テキスト画像
ＩＭＧ…撮像画像
【図１】
2016004340.tif 000003
【図２】
2016004340.tif 000004
【図３】
2016004340.tif 000005
【図４】
2016004340.tif 000006
【図５】
2016004340.tif 000007
【図６】
2016004340.tif 000008
【図７】
2016004340.tif 000009
【図８】
2016004340.tif 000010
【図９】
2016004340.tif 000011
【図１０】
2016004340.tif 000012
【図１１】
2016004340.tif 000013
【図１２】
2016004340.tif 000014